(57)【特許請求の範囲】
【請求項１】
有線により通信する有線通信部、及び無線により通信する無線通信部を有し、オーディオの音声信号を伝送する複数の通信プロトコルの各々に従って通信する通信部と、
前記通信により受信した音声信号を再生する再生処理部と、を備え、
いずれかの前記通信プロトコルに従った通信を通じて、外部機器から音声信号を受信するオーディオ再生装置において、
前記通信プロトコルの優先順位を予め記憶する優先順位記憶部と、
前記音声信号の送信のための通信要求を前記外部機器から受けた場合に、要求されている通信の通信プロトコルの前記優先順位に応じて、前記通信要求を受け入れる制御部と、
前記外部機器との間で前記音声信号の送信に用いられた前記通信プロトコルを記憶する通信可能プロトコル記憶部と、を備え、
前記通信可能プロトコル記憶部は、
有線により前記外部機器と物理リンクが確立した場合、論理的な通信接続が確立しデータを送受可能になったことを条件に当該有線に対応する通信プロトコルを記録し、
前記制御部は、
前記通信可能プロトコル記憶部に記憶されている通信プロトコルに基づいて、前記外部機器との間で前記音声信号の伝送の通信に使用できる通信プロトコルにおける、要求されている通信の通信プロトコルの優先順位を判断する
ことを特徴とするオーディオ再生装置。
【請求項２】
前記制御部は、
前記外部機器との間で前記音声信号の伝送のための通信に使用できる通信プロトコルの中で、前記要求されている通信の通信プロトコルの優先順位が最も高い場合に限り、前記通信要求を受け入れる
ことを特徴とする請求項１に記載のオーディオ再生装置。
【請求項３】
前記制御部は、
前記通信要求を受け入れる場合、通信接続が確立状態の通信のうち、要求された通信の通信プロトコルよりも優先順位が低い通信プロトコルを用いた通信の接続を切断する
ことを特徴とする請求項１に記載のオーディオ再生装置。
【請求項４】
前記制御部は、
前記音声信号の送信のための通信要求を前記外部機器から受けた場合、当該外部機器との間で、前記通信プロトコルに従った他の通信が確立状態にあるときには、当該通信を維持するために、前記通信要求されている通信の通信プロトコルの優先順位にかかわらずに当該通信要求を受け入れない
ことを特徴とする請求項１に記載のオーディオ再生装置。
【請求項５】
前記優先順位は、再生されたオーディオの音声品質に基づいて定められている
ことを特徴とする請求項１に記載のオーディオ再生装置。
【請求項６】
前記制御部は、
前記外部機器が電話機である場合、前記外部機器を通じて行われる通話の音声信号を送信するための通信要求は受け入れる
ことを特徴とする請求項１に記載のオーディオ再生装置。
【請求項７】
有線により通信する有線通信部、及び無線により通信する無線通信部を有し、オーディオの音声信号を伝送する複数の通信プロトコルの各々に従って通信する通信部と、
前記通信により受信した音声信号を再生する再生処理部と、を備えたオーディオ再生装置と、
いずれかの前記通信プロトコルに従った通信を通じて音声信号を前記オーディオ再生装置に送信する外部機器と、を備えたオーディオ再生システムにおいて、
前記オーディオ再生装置は、
前記通信プロトコルの優先順位を予め記憶する優先順位記憶部と、
前記音声信号の送信のための通信要求を前記外部機器から受けた場合に、要求されている通信の通信プロトコルの前記優先順位に応じて、前記通信要求を受け入れる制御部と、
前記外部機器との間で前記音声信号の送信に用いられた前記通信プロトコルを記憶する通信可能プロトコル記憶部と、を備え、
前記通信可能プロトコル記憶部は、
有線により前記外部機器と物理リンクが確立した場合、論理的な通信接続が確立しデータを送受可能になったことを条件に当該有線に対応する通信プロトコルを記録し、
前記制御部は、
前記通信可能プロトコル記憶部に記憶されている通信プロトコルに基づいて、前記外部機器との間で前記音声信号の伝送の通信に使用できる通信プロトコルにおける、要求されている通信の通信プロトコルの優先順位を判断し、
前記外部機器は、
前記通信要求が受け入れられなかった場合に、前記通信プロトコルを変えて前記通信要求を前記オーディオ再生装置に送信する
ことを特徴とするオーディオ再生システム。
【発明の詳細な説明】
【技術分野】
【０００１】
本発明は、オーディオ再生装置、及びオーディオ再生システムに関する。
【背景技術】
【０００２】
アンプ機器を含むＡＶ（Ａｕｄｉｏ  ａｎｄ  Ｖｉｓｕａｌ）システムにおいて、アンプ機器が無線通信用のインタフェースと有線通信用のインタフェースの両方に対応したものがある。このアンプ機器は、どちらのインタフェースで受信した音声信号も増幅して出力することが可能に構成されている。
また、アンプ機器が、両方のインタフェースで携帯情報機器から音声信号を受信することができるときに、音声信号の取得経路を自動的に有線通信用のインタフェースにする技術が知られている。この技術によれば、アンプ機器は、携帯情報機器との間で安定した通信を行うことができ、表示機器に表示される映像と、アンプ機器を介して出力される音声との間にずれが生じにくくできる（例えば、特許文献１参照）。
【先行技術文献】
【特許文献】
【０００３】
【特許文献１】特開２０１２−２２７５７１号公報
【発明の概要】
【発明が解決しようとする課題】
【０００４】
しかしながら、無線通信用のインタフェースに代えて、有線通信用のインタフェースを通じて音声信号をアンプ機器に出力することが、必ずしも音声再生において良好とは限らない、という問題がある。
本発明は、上述した事情に鑑みてなされたものであり、音声再生を良好に維持できるオーディオ再生装置、及びオーディオ再生システムを提供することを目的とする。
【課題を解決するための手段】
【０００５】
上記目的を達成するために、本発明は、有線により通信する有線通信部、及び無線により通信する無線通信部を有し、オーディオの音声信号を伝送する複数の通信プロトコルの各々に従って通信する通信部と、前記通信により受信した音声信号を再生する再生処理部と、を備え、いずれかの前記通信プロトコルに従った通信を通じて、外部機器から音声信号を受信するオーディオ再生装置において、前記通信プロトコルの優先順位を予め記憶する優先順位記憶部と、前記音声信号の送信のための通信要求を前記外部機器から受けた場合に、要求されている通信の通信プロトコルの前記優先順位に応じて、前記通信要求を受け入れる制御部と、前記外部機器との間で前記音声信号の送信に用いられた前記通信プロトコルを記憶する通信可能プロトコル記憶部と、を備え、前記通信可能プロトコル記憶部は、有線により前記外部機器と物理リンクが確立した場合、論理的な通信接続が確立しデータを送受可能になったことを条件に当該有線に対応する通信プロトコルを記録し、前記制御部は、前記通信可能プロトコル記憶部に記憶されている通信プロトコルに基づいて、前記外部機器との間で前記音声信号の伝送の通信に使用できる通信プロトコルにおける、要求されている通信の通信プロトコルの優先順位を判断することを特徴とする。
【０００６】
また本発明は、上記オーディオ再生装置において、前記制御部は、前記外部機器との間で前記音声信号の伝送のための通信に使用できる通信プロトコルの中で、前記要求されている通信の通信プロトコルの優先順位が最も高い場合に限り、前記通信要求を受け入れることを特徴とする。
【０００８】
また本発明は、上記オーディオ再生装置において、前記制御部は、前記通信要求を受け入れる場合、通信接続が確立状態の通信のうち、要求された通信の通信プロトコルよりも優先順位が低い通信プロトコルを用いた通信の接続を切断することを特徴とする。
【０００９】
また本発明は、上記オーディオ再生装置において、前記制御部は、前記音声信号の送信のための通信要求を前記外部機器から受けた場合、当該外部機器との間で、前記通信プロトコルに従った他の通信が確立状態にあるときには、当該通信を維持するために、前記通信要求されている通信の通信プロトコルの優先順位にかかわらずに当該通信要求を受け入れないことを特徴とする。
【００１０】
また本発明は、上記オーディオ再生装置において、前記優先順位は、再生されたオーディオの音声品質に基づいて定められていることを特徴とする。
【００１１】
また本発明は、上記オーディオ再生装置において、前記制御部は、前記外部機器が電話機である場合に、前記外部機器を通じて行われる通話の音声信号を送信するための通信要求は受け入れることを特徴とする。
【００１２】
また上記課題を解決するために、本発明は、有線により通信する有線通信部、及び無線により通信する無線通信部を有し、オーディオの音声信号を伝送する複数の通信プロトコルの各々に従って通信する通信部と、前記通信により受信した音声信号を再生する再生処理部と、を備えたオーディオ再生装置と、いずれかの前記通信プロトコルに従った通信を通じて音声信号を前記オーディオ再生装置に送信する外部機器と、を備えたオーディオ再生システムにおいて、前記オーディオ再生装置は、前記通信プロトコルの優先順位を予め記憶する優先順位記憶部と、前記音声信号の送信のための通信要求を前記外部機器から受けた場合に、要求されている通信の通信プロトコルの前記優先順位に応じて、前記通信要求を受け入れる制御部と、前記外部機器との間で前記音声信号の送信に用いられた前記通信プロトコルを記憶する通信可能プロトコル記憶部と、を備え、前記通信可能プロトコル記憶部は、有線により前記外部機器と物理リンクが確立した場合、論理的な通信接続が確立しデータを送受可能になったことを条件に当該有線に対応する通信プロトコルを記録し、前記制御部は、前記通信可能プロトコル記憶部に記憶されている通信プロトコルに基づいて、前記外部機器との間で前記音声信号の伝送の通信に使用できる通信プロトコルにおける、要求されている通信の通信プロトコルの優先順位を判断し、前記外部機器は、前記通信要求が受け入れられなかった場合に、前記通信プロトコルを変えて前記通信要求を前記オーディオ再生装置に送信することを特徴とする。
【発明の効果】
【００１３】
本発明によれば、音声再生を良好にできる。
【図面の簡単な説明】
【００１４】
【図１】本発明の実施形態に係る車載オーディオシステムの構成を示す図である。
【図２】スマートフォンの機能的構成を示すブロック図である。
【図３】車載オーディオシステムにおけるスマートフォンが用いる通信規格を示す図である。
【図４】音声信号の送信に利用できる通信プロトコルを通信規格ごとに示す図である。
【図５】再生アプリと、リモコン命令信号の送受に用いる通信プロトコルとの対応の一例を示す図である。
【図６】カーオーディオ装置の機能的構成を示すブロック図である。
【図７】優先順位データの一例を示す図である。
【図８】音声信号入力制御部の動作を示すフローチャートである。
【図９】車載オーディオシステム１の模式図である。
【図１０】車載オーディオシステムの動作の一例を示すシーケンス図である。
【図１１】通信可能音声通信プロトコルと、音声通信要求通信プロトコルと、入力制御内容との対応を示す図である。
【発明を実施するための形態】
【００１５】
図１は、本発明の実施形態に係る車載オーディオシステム１の構成を示す図である。
車載オーディオシステム１は、スピーカ装置３が設置された車両２に設けられ、オーディオの音声再生信号Ａ１をスピーカ装置３に出力して車室内でオーディオ音声を再生するシステムであり、図１に示すように、カーオーディオ装置６と、スマートフォン８とを備えている。
【００１６】
カーオーディオ装置６は、車両２に搭載される車載機の一形態である。このカーオーディオ装置６は、再生対象のオーディオの音声信号Ａ３が外部機器から入力され、この音声信号Ａ３を信号処理して上記音声再生信号Ａ１を生成し、スピーカ装置３に出力してオーディオ音声を再生する。
スマートフォン８は、携帯電話機の一形態であり、携帯電話機を多機能化したものである。この車載オーディオシステム１では、スマートフォン８がカーオーディオ装置６に音声信号Ａ３を入力する上記外部機器として用いられている。
【００１７】
図２は、スマートフォン８の機能的構成を示すブロック図である。
スマートフォン８は、図２に示すように、オーディオデータ蓄積部２０と、オーディオデータ取得部２２と、周辺機器接続部２４と、アプリケーション実行部２６と、音声信号送信制御部２７と、操作部２８とを備えている。操作部２８は、ユーザの操作を受け付けるものであり、ハードキー、及びタッチパネルを備えて構成されている。
【００１８】
オーディオデータ蓄積部２０、及びオーディオデータ取得部２２は、カーオーディオ装置６に入力するオーディオの音声信号Ａ３の基となるオーディオデータＤ１の源（いわゆる、オーディオソース）になるものである。
オーディオデータ蓄積部２０は、多数のオーディオデータＤ１を予め格納するものであり、オーディオデータＤ１を読み書き可能な記録媒体を備えている。この記録媒体としては、スマートフォン８に内蔵のＨＤＤやＳＳＤ、半導体メモリ、或いは、スマートフォン８に装着自在な記録媒体が好適に用いられる。
オーディオデータ取得部２２は、スマートフォン８の外に設けられたオーディオソースからオーディオデータＤ１を取得するものである。より具体的には、このスマートフォン８は、図１に示すように、電気通信回線１１に通信可能に接続された配信サーバ１２をオーディオソースとし、この配信サーバ１２からオーディオデータＤ１を取得する機能を備えている。
すなわち、オーディオデータ取得部２２は、図２に示すように、配信サーバ１２と通信するサーバ通信部３０を備え、配信サーバ１２との通信を通じてオーディオデータＤ１を取得し、このオーディオデータＤ１に基づく音声信号Ａ３がカーオーディオ装置６へ入力される。電気通信回線１１は、携帯電話網、及びインターネットを含み、サーバ通信部３０は、携帯電話網との間でデータを送受可能に通信接続する通信モジュールを備えている。
【００１９】
周辺機器接続部２４は、カーオーディオ装置６や、その他の周辺機器を無線通信、及び有線通信の両方を適宜に用いて通信接続する（すなわち、通信リンクを確立する）ものであり、無線通信部３２と、有線通信部３４とを備えている。
無線通信部３２は、カーオーディオ装置６との間で所定の無線通信規格に準拠して通信するものであり、この無線通信に必要なアンテナ、及び各種の回路（例えば通信制御コントローラ、送信回路、及び受信回路）を備えている。
有線通信部３４は、カーオーディオ装置６との間で所定の有線通信規格に準拠して通信するものであり、この有線通信に必要なコネクタ、及び各種の回路（例えば通信制御コントローラ、送信回路、及び受信回路）を備えている。
【００２０】
アプリケーション実行部２６は、このスマートフォン８にインストールされているアプリケーションプログラムを実行するものであり、メモリデバイスやＭＰＵを備えている。このスマートフォン８にはアプリケーションプログラムとして、カーオーディオ装置６と連携し当該カーオーディオ装置６に音声を再生させる再生アプリ４２がアプリ格納部４３にインストールされている。アプリ格納部４３は、例えばスマートフォン８に内蔵されたメモリデバイスである。
【００２１】
再生アプリ４２は、カーオーディオ装置６と連携し当該カーオーディオ装置６にオーディオソースに基づく音声を再生させるために必要な一般的な機能を備え、少なくともオーディオデータ読出機能４４と、リモコン命令送受機能４６と、を備えている。
オーディオデータ読出機能４４は、オーディオソースからオーディオデータＤ１を読み出し、デコード処理などの所定の信号処理を施して音声信号Ａ３を生成する機能である。
このスマートフォン８において、オーディオソースは、上記のとおり、スマートフォン８の本体に内蔵のオーディオデータ蓄積部２０、及び、スマートフォン８の外部である配信サーバ１２が用いられる。
【００２２】
リモコン命令送受機能４６は、スマートフォン８とカーオーディオ装置６との間で、音声の再生開始や終了といった再生動作をリモートコントロールするための信号（以下、「リモコン命令信号」と言う）Ｂを通信により送受する機能である。
ユーザがスマートフォン８の操作部２８を操作して再生動作をリモートコントロールする場合には、スマートフォン８からリモコン命令信号Ｂがカーオーディオ装置６に送信される。また、これとは逆に、リモートコントロールがカーオーディオ装置６のユーザ操作によって行われる場合には、カーオーディオ装置６からスマートフォン８にリモコン命令信号Ｂが送信される。
【００２３】
音声信号送信制御部２７は、再生アプリ４２の実行に伴う音声信号Ａ３のカーオーディオ装置６への送信を制御するものであり、音声信号Ａ３の送信に用いる通信の通信プロトコル（以下、「音声通信プロトコル」という）Ｐｖを決定する音声通信プロトコル決定部４７を備えている。
音声通信プロトコルＰｖは、無線通信部３２、及び有線通信部３４のそれぞれの通信規格において規定されている通信プロトコルのうち、音声信号の伝送に利用できるプロトコルである。
通信プロトコルは、通信に関する規約を定めたものであり、伝送媒体（伝送路）の物理条件や通信制御内容などが定められている。物理条件としては、有線通信の場合は、ケーブルとコネクタの形状と電気特性や光学波長、変調方式が規定され、無線通信の場合は、周波数帯や変調方式が規定される。
【００２４】
音声通信プロトコル決定部４７は、無線通信部３２、及び有線通信部３４で利用可能な音声通信プロトコルＰｖの中から一つを決定し、この音声通信プロトコルＰｖを用いた通信により音声信号Ａ３を送信するように周辺機器接続部２４を制御する。また音声通信プロトコル決定部４７は、決定した音声通信プロトコルＰｖを用いた通信がカーオーディオ装置６との間で不能である場合に、他の音声通信プロトコルＰｖに変更して通信を行う機能を備えている。
音声通信プロトコル決定部４７のこのような機能は、一般的には、スマートフォン８に搭載されたＯＳ（Operating System）に実装されており、この機能を用いて音声通信プロトコル決定部４７が構成される。
【００２５】
ここで、一般的に、スマートフォン８やタブレット端末等の携帯型情報端末では、無線通信の規格として、近距離の無線通信の一形態であるＢｌｕｅｔｏｏｔｈ（登録商標）規格が用いられている。
また、携帯型情報端末では、有線通信として、ＨＤＭＩ（High-Definition Multimedia Interface）（登録商標）に準拠した通信、及びシリアルバス規格の１つであるＵＳＢ（UniverSal Serial Bus）規格に準拠した通信のいずれかが一般的に用いられている。
【００２６】
図３は、この車載オーディオシステム１におけるスマートフォン８が用いる通信規格を示す図である。
ＨＤＭＩ接続スマートフォン８Ａは、有線通信の通信規格にＨＤＭＩが用いられ、無線通信の通信規格にはＢｌｕｅｔｏｏｔｈが用いられている。この有線通信、及び無線通信の通信規格の組み合わせは、ＯＳにAndroid（登録商標）を搭載した携帯型情報端末に多く採用されている。
ＵＳＢ接続スマートフォン８Ｂは、有線通信の通信規格にＵＳＢが用いられ、無線通信の通信規格にＢｌｕｅｔｏｏｔｈが用いられている。この有線通信、及び無線通信の通信規格の組み合わせは、ＯＳにｉＯＳ（登録商標）を搭載した携帯型情報端末（例えばｉＰｈｏｎｅ（登録商標）、ｉPｏｄ（登録商標））に多く採用されている。
【００２７】
なお、ＨＤＭＩ接続スマートフォン８Ａにおいて、ＨＤＭＩプロトコルに準拠したＨＤＭＩ信号の伝送に、ＭｉｃｒｏＵＳＢポートを経由して伝送する規格であるＭＨＬ（Mobile High-Definition Link）（登録商標）規格を用いることで、ＭｉｃｒｏＵＳＢのコネクタをＨＤＭＩケーブルのコネクタと共用できる。
【００２８】
図４は、音声信号の送信に利用できる音声通信プロトコルＰｖを通信規格ごとに示す図である。
同図に示すように、ＨＤＭＩ、ＵＳＢ、及びＢｌｕｅｔｏｏｔｈでは、音声信号Ａ３の送信に利用できる音声通信プロトコルＰｖとして、それぞれＨＤＭＩプロトコル、ＵＳＢプロトコル、及びＡ２ＤＰ（Advanced Audio Distribution Profile）プロファイルが規定されている。
【００２９】
このスマートフォン８では、無線通信部３２、及び有線通信部３４が準拠する通信規格に応じて、これらＨＤＭＩ、Ａ２ＤＰ、及びＵＳＢのいずれかの音声通信プロトコルＰｖが音声信号Ａ３の送信に用いられる。
またスマートフォン８の再生アプリ４２は、上述のとおり、リモコン命令送受機能４６によりスマートフォン８とカーオーディオ装置６との間でリモコン命令信号Ｂを送受するが、この送受のための通信に用いる通信プロトコル（以下、「リモコン通信プロトコル」という）Ｐｃが再生アプリ４２ごとに予め定められている。
【００３０】
図５は、再生アプリ４２と、リモコン命令信号Ｂの送受に用いるリモコン通信プロトコルＰｃとの対応の一例を示す図である。
同図に示す再生アプリ４２は、リモコン通信プロトコルＰｃ、及びオーディオソースの組み合わせが異なるものである。
具体的には、再生アプリ４２Ａは、オーディオデータ蓄積部２０（すなわち、スマートフォン８の本体）をオーディオソースとし、Ｂｌｕｅｔｏｏｔｈで規定されているＡＶＲＣＰ（Audio/Video Remote Control Profile）をリモコン通信プロトコルＰｃに用いる。
再生アプリ４２Ｂは、配信サーバ１２をオーディオソースとし、上記ＡＶＲＣＰをリモコン通信プロトコルＰｃに用いる。
再生アプリ４２Ｃは、本体、及び配信サーバ１２をオーディオソースとし、ＵＳＢをリモコン通信プロトコルＰｃに用いる。
再生アプリ４２Ｄは、本体、及び配信サーバ１２をオーディオソースとし、ｉＡＰ（iPod Accessory Protocol）をリモコン通信プロトコルＰｃに用いる。ｉＡＰは、ＯＳにｉＯＳを搭載した機器に、カーオーディオ装置６がＢｌｕｅｔｏｏｔｈを用いて通信接続を可能とする通信プロトコルであり、このｉＡＰでは、ＢｌｕｅｔｏｏｔｈのＳＰＰ（Serial Port Profile）が利用されている。
再生アプリ４２Ｅは、本体、及び配信サーバ１２をオーディオソースとし、上記ＳＰＰをリモコン通信プロトコルＰｃに用いる。
【００３１】
スマートフォン８には、無線通信部３２、及び有線通信部３４が準拠する通信規格に対応した再生アプリ４２が、これら再生アプリ４２Ａ〜４２Ｅの中から適宜にインストールされる。
【００３２】
また、これら再生アプリ４２Ａ〜４２Ｅの幾つかは、音声信号Ａ３の送信に用いる音声通信プロトコルＰｖが明示的に予め設定されている。例えば、再生アプリ４２Ｃでは、音声通信プロトコルＰｖにＵＳＢが指定され、再生アプリ４２Ｄでは、音声通信プロトコルＰｖにＢｌｕｅｔｏｏｔｈが指定され、再生アプリ４２Ｅでは、音声通信プロトコルＰｖにＨＤＭＩが指定されている。
スマートフォン８にあっては、再生アプリ４２に音声通信プロトコルＰｖが設定されている場合には、当該再生アプリ４２の実行時には、この設定に基づく音声通信プロトコルＰｖを用いた通信により音声信号Ａ３を送信する。
【００３３】
音声通信プロトコルＰｖが設定されていない再生アプリ４２については、音声通信プロトコル決定部４７によって、次のようにして音声通信プロトコルＰｖが決定される。
すなわち、音声通信プロトコル決定部４７は、その再生アプリ４２のリモコン通信プロトコルＰｃと同じ通信規格で規定されたプロトコルを音声通信プロトコルＰｖとして決定する。例えば、再生アプリ４２Ａ、４２Ｂの実行時には、リモコン通信プロトコルＰｃにＢｌｕｅｔｏｏｔｈのＡＶＲＣＰが用いられていることから、当該Ｂｌｕｅｔｏｏｔｈで規定されているＡ２ＤＰが音声通信プロトコルＰｖとして決定される。
【００３４】
また、決定した音声通信プロトコルＰｖを用いた通信がカーオーディオ装置６との間で不能なときは、音声通信プロトコル決定部４７は、カーオーディオ装置６との間で通信が確立済みの通信規格の音声通信プロトコルＰｖを用いた通信を順次に試み、通信可能な音声通信プロトコルＰｖを用いた通信により音声信号Ａ３を送信する。
例えば、スマートフォン８とカーオーディオ装置６との間で、ＨＤＭＩ、及びＢｌｕｅｔｏｏｔｈの両方の通信が確立済みの場合において、ＢｌｕｅｔｏｏｔｈのＡ２ＤＰを音声通信プロトコルＰｖに用いた通信が不能なときは、音声通信プロトコル決定部４７は、ＨＤＭＩを音声通信プロトコルＰｖでの通信を試みることになる。
なお、複数の音声通信プロトコルＰｖが試行対象である場合、これら音声通信プロトコルＰｖの試行順番はＯＳ等によって適宜に決定される。
【００３５】
図６は、カーオーディオ装置６の機能的構成を示すブロック図である。
カーオーディオ装置６は、機器間通信部５１と、再生処理部５２と、音声信号入力制御部５３と、操作部５４とを備えている。操作部５４は、ユーザの操作を受け付けるものであり、ハードキー、及びタッチパネルを備えて構成されている。
【００３６】
機器間通信部５１は、スマートフォン８を無線通信、及び有線通信により通信接続し（すなわち、通信リンクを確立し）、音声信号Ａ３の入力を受け、また、リモコン命令信号Ｂを送受するものであり、無線通信部５５と、有線通信部５６とを備えている。これら無線通信部５５、及び有線通信部５６は、この車載オーディオシステム１に用いられるスマートフォン８が使用可能な通信規格に対応して構成されている。
【００３７】
具体的には、無線通信部５５は、Ｂｌｕｅｔｏｏｔｈモジュール５７を備え、スマートフォン８との間でＢｌｕｅｔｏｏｔｈに準拠して通信する。また有線通信部５６は、ＨＤＭＩに準拠して通信するＨＤＭＩモジュール５８と、ＵＳＢに準拠して通信するＵＳＢモジュール５９とを備えている。これら無線通信部５５、及び有線通信部５６のそれぞれは、スマートフォン８が通信に使用するリモコン通信プロトコルＰｃ、及び音声通信プロトコルＰｖ（すなわち、少なくとも図４、及び図５に例示したリモコン通信プロトコルＰｃ、及び音声通信プロトコルＰｖ）を用いた通信が可能に成されている。
【００３８】
再生処理部５２は、スマートフォン８から入力された音声信号Ａ３を信号処理して音声再生信号Ａ１を生成し、スピーカ装置３に出力するものであり、音声信号Ａ３を増幅し、また音声信号Ａ３に対して各種の音響効果を付与するオーディオアンプ６０を備えている。
【００３９】
音声信号入力制御部５３は、スマートフォン８との間で音声信号Ａ３の入力に用いる音声通信プロトコルＰｖが、所定のプロトコルになるように制御するものである。
詳述すると、オーディオの音声信号Ａ３の伝送においては、信号の伝送形態（伝送媒体や伝送帯域など）に起因して再生品質に違いが生じる。例えば有線ケーブルと無線電波といったように伝送媒体が異なる場合においては、再生品質に違いが生じる。また同じ有線ケーブルであっても、例えばＨＤＭＩケーブルとＵＳＢケーブルといったように、使用される有線ケーブルを規格した通信プロトコルごとに再生品質が異なる。無線の場合も同様である。
【００４０】
しかしながら、スマートフォン８が音声信号Ａ３の送信に用いる音声通信プロトコルＰｖは、上述のとおり、スマートフォン８が決めており、必ずしも再生品質が最良の音声通信プロトコルＰｖが決定される訳ではない。さらに、スマートフォン８が音声通信プロトコルＰｖを決めているため、カーオーディオ装置６が音声通信プロトコルＰｖをスマートフォン８に明示的に指示することはできない。
【００４１】
そこで、このカーオーディオ装置６では、スマートフォン８が使用可能な音声通信プロトコルＰｖのうち、再生音質が最も良くなるプロトコルで音声信号Ａ３が送信されるようにスマートフォン８が決定する音声通信プロトコルＰｖが音声信号入力制御部５３によって誘導される。
【００４２】
詳述すると、この音声信号入力制御部５３は、図６に示すように、優先順位記憶部６２と、通信可能プロトコル記憶部６３とを備えている。
優先順位記憶部６２は、優先順位データ６４を記憶するものである。優先順位データ６４は、このカーオーディオ装置６が音声信号Ａ３の入力のための通信に利用可能な音声通信プロトコルＰｖを、再生品質の優劣に従って順位付けしたものである。
【００４３】
図７は、優先順位データ６４の一例を示す図である。
同図に示すように、このカーオーディオ装置６では、ＨＤＭＩプロトコル＞ＵＳＢプロトコル＞Ａ２ＤＰプロトコルの順で、音声通信プロトコルＰｖが優先されるように優先順位データ６４が設定されている。
この優先順位データ６４の優先順位は、ユーザが好みに応じて最良とする順番で適宜に順位付けを変更することもできる。
【００４４】
通信可能プロトコル記憶部６３は、機器間通信部５１を介して通信接続（通信リンク）が確立しているスマートフォン８を対象に、このスマートフォン８が音声信号Ａ３の送信に使用した音声通信プロトコルＰｖを逐次に記録するものである。具体的には、音声信号入力制御部５３は、音声信号Ａ３の送信のための通信の要求をスマートフォン８から受ける度に、要求された通信に用いられている音声通信プロトコルＰｖを通信可能プロトコル記憶部６３に記録する。
【００４５】
なお、有線通信の場合は、有線ケーブルが物理的（電気的）に接続（挿着）され物理リンクが確立した場合でも、相互間でデータを送受可能にする論理的な通信接続（例えばデータリンク）が確立していないときには、この有線ケーブルを用いた音声信号Ａ３の送信の可否が不確かであるため、通信可能プロトコル記憶部６３には記録されず、論理的な通信接続が確立したとき（すなわち、互いにデータを送受可能になったとき）に記録される。
【００４６】
また、有線ケーブルが外され、或いは無線通信がオフになる等して、スマートフォン８と機器間通信部５１との間の物理的な接続が絶たれて通信接続が切断された場合には、当該通信接続に用いられていた音声通信プロトコルＰｖによる通信が行われないようにするために、この音声通信プロトコルＰｖの記録が通信可能プロトコル記憶部６３から消去される。
さらに、通信可能プロトコル記憶部６３の記録は、スマートフォン８と機器間通信部５１との間の全ての通信接続が切断された場合に初期化される。
【００４７】
図８は、音声信号入力制御部５３の入力制御処理を示すフローチャートである。
同図に示す入力制御処理は、所定の音声通信プロトコルＰｖを用いた通信によってスマートフォン８が音声信号Ａ３を送信するように誘導（すなわち、間接的にコントロール）するための処理である。この入力制御処理は、スマートフォン８における再生アプリ４２の実行に伴い、音声信号Ａ３を送信するための通信要求（以下、「音声通信要求」という）を当該スマートフォン８から受ける度に、音声信号入力制御部５３によって実行される。
【００４８】
具体的には、音声信号入力制御部５３は、音声通信要求をスマートフォン８から受けた場合（ステップＳａ１）、要求された通信に用いられている音声通信プロトコルＰｖを通信可能プロトコル記憶部６３に記録する（ステップＳａ２）。この記録により、スマートフォン８が音声通信に使用できる音声通信プロトコルＰｖをカーオーディオ装置６が把握できるようになる。
次いで、音声信号入力制御部５３は、要求されている通信の音声通信プロトコルＰｖの優先順位を判断する（ステップＳａ３）。この優先順位の判断においては、要求されている通信の音声通信プロトコルＰｖを含め、通信可能プロトコル記憶部６３に記録されている音声通信プロトコルＰｖの全ての音声通信プロトコルＰｖの中で、要求されている通信の音声通信プロトコルＰｖの優先順位が最も高いか否かが判断される。
【００４９】
優先順位が最も高い場合（ステップＳａ３：Ｙｅｓ）、音声信号入力制御部５３は、音声通信要求を受け入れる前に、スマートフォン８との間で、音声通信プロトコルＰｖを用いた通信の通信接続（通信リンク）が既に確立状態にあり音声信号Ａ３を受信中か否かを判断する（ステップＳａ４）。
例えば、他の再生アプリ４２がスマートフォン４で既に実行されており、或いはスマートフォン４とカーオーディオ装置６との間で音声信号Ａ３の送受を伴う他のアプリケーションプログラムが実行されている等して、スマートフォン８からカーオーディオ装置６への音声信号Ａ３の送信が継続して行われている場合、この音声通信の通信接続が既に確立した状態となり、音声信号Ａ３が受信中になっている場合がある。
通信接続が確立状態にあり音声信号Ａ３を受信中である場合（ステップＳａ４：Ｙｅｓ）、この通信接続による音声受信動作を維持するために、音声信号入力制御部５３は、音声通信要求を拒否する（ステップＳａ５）。このように音声受信動作が維持されることにより、音声通信プロトコルＰｖの切替に伴い音声信号Ａ３の受信が一時的に中断され、再生中に一時的に音切れが発生するといった事態を防止できる。
一方、音声通信プロトコルＰｖを用いた通信の通信接続が確立状態していない場合（ステップＳａ４：Ｎｏ）、ステップＳａ１で要求された通信に用いられている音声通信プロトコルＰｖでの通信接続を確立し（ステップＳａ６）、音声信号Ａ３を受信する（ステップＳａ７）。
【００５０】
また、ステップＳ１で要求された通信の音声通信プロトコルＰｖの優先順位が最も高くない場合には（ステップＳａ３：Ｎｏ）、音声信号入力制御部５３は、音声通信要求を拒否し（ステップＳａ５）、スマートフォン８において音声通信要求に使う通信の音声通信プロトコルＰｖが変更されるようにする。この音声通信要求の拒否の具体的な態様としては、例えば要求に応答しない無応答や、拒否する旨を応答する拒否応答といった適宜の態様が用いられる。
【００５１】
そして、スマートフォン８は、音声通信要求が拒否された場合、上述のように、音声信号送信制御部２７によって、他の音声通信プロトコルＰｖに変えて音声通信要求が試みられる。この音声通信要求に対し、カーオーディオ装置６では、上記ステップＳａ１の処理が再度実行される。
このような一連の処理の結果、音声通信要求の拒否によって、スマートフォン８が使用する音声通信プロトコルＰｖの選択肢が、カーオーディオ装置６が通信要求を受け入れようとする音声通信プロトコルＰｖに制限される。そして、通信可能プロトコル記憶部６３に記録されている音声通信プロトコルＰｖのうち、最も優先順位が高い音声通信プロトコルＰｖ、或いは、既に通信接続が確立済みの音声通信プロトコルＰｖを用いてスマートフォン８が音声通信要求をしたときに、当該音声通信プロトコルＰｖを用いた通信がカーオーディオ装置６とスマートフォン８との間で確立し、この通信により音声信号Ａ３が伝送されることとなる。
【００５２】
なお、通信可能プロトコル記憶部６３には、優先順位データ６４に従って優先順位が高い音声通信プロトコルＰｖのみを残すように記録しても良い。
また、スマートフォン８を一意に識別する識別情報（例えばＭＡＣアドレス等）をカーオーディオ装置６が取得可能な場合、スマートフォン８との通信接続が切断された後も、このスマートフォン８の識別情報に、このスマートフォン８が音声信号Ａ３の送信に用いた音声通信プロトコルＰｖを対応付けて保持し、再度、通信接続が確立したときに、それを参照して、ステップＳａ３の判断をするようにしても良い。
【００５３】
図９は、車載オーディオシステム１の模式図である。この図９では、スマートフォン８がＨＤＭＩ接続スマートフォン８Ａである場合が示されている。
ＨＤＭＩ接続スマートフォン８Ａでは、無線通信であるＢｌｕｅｔｏｏｔｈ、及び有線通信であるＨＤＭＩの両方、又は、Ｂｌｕｅｔｏｏｔｈのみを用いてカーオーディオ装置６とＨＤＭＩ接続スマートフォン８Ａとの間で通信接続が確立される。
【００５４】
例えば、再生アプリ４２Ａ（図５）がＨＤＭＩ接続スマートフォン８Ａにインストールされ、当該再生アプリ４２ＡがＨＤＭＩ接続スマートフォン８Ａで実行される場合、再生アプリ４２Ａは、リモコン通信プロトコルＰｃにＡＶＲＣＰを用い、音声通信プロトコルＰｖが不定であるから、通常は、Ｂｌｕｅｔｏｏｔｈのみでカーオーディオ装置６とＨＤＭＩ接続スマートフォン８Ａとの間で通信接続が確立される。
また例えば、再生アプリ４２Ｅ（図５）がＨＤＭＩ接続スマートフォン８ＡにＨＤＭＩ接続インストールされ、当該再生アプリ４２ＥがＨＤＭＩ接続スマートフォン８Ａで実行される場合、再生アプリ４２Ｅは、リモコン通信プロトコルＰｃにＡＶＲＣＰを用い、音声信号Ａ３の音声通信プロトコルＰｖにＨＤＭＩを用いることから、Ｂｌｕｅｔｏｏｔｈ、及びＨＤＭＩの両方でカーオーディオ装置６とＨＤＭＩ接続スマートフォン８Ａとの間で通信接続が確立される。
【００５５】
図１０は、車載オーディオシステム１の動作の一例を示すシーケンス図である。
この図１０では、図９に示すカーオーディオ装置６とＨＤＭＩ接続スマートフォン８Ａの動作が示されている。また、この動作としては、ＨＤＭＩ接続スマートフォン８Ａが再生アプリ４２Ｅを実行し、その後、再生アプリ４２Ａを実行するときの動作が示されている。
【００５６】
ＨＤＭＩ接続スマートフォン８Ａが再生アプリ４２Ｅを実行し、カーオーディオ装置６との連携により音声信号Ａ３の再生が行われた場合、同図に示すように、カーオーディオ装置６とＨＤＭＩ接続スマートフォン８Ａの間で、音声通信プロトコルＰｖにＨＤＭＩを用いた通信接続（通信リンク）が確立する（ステップＳｂ１）。
その後、ユーザの操作によって（ステップＳｂ２）、再生アプリ４２Ｅを終了し当該再生アプリ４２Ｅから再生アプリ４２Ａに実行対象のアプリケーションプログラムが切り替えられた場合（ステップＳｂ３）、カーオーディオ装置６とＨＤＭＩ接続スマートフォン８Ａの間では、リモコン命令信号Ｂの送受のためにリモコン通信プロトコルＰｃを用いた通信の通信接続を確立する処理が行われる。
具体的には、再生アプリ４２Ａは、リモコン通信プロトコルＰｃにＡＶＲＣＰを用いることから、カーオーディオ装置６とＨＤＭＩ接続スマートフォン８Ａの間では、ＡＶＲＣＰ接続要求と、この接続要求に対するＡＶＲＣＰ接続応答（ＯＫ）との送受が行われ（ステップＳｂ４）、先に確立しているＨＤＭＩを音声通信プロトコルＰｖに用いた通信接続に加えてＡＶＲＣＰをリモコン通信プロトコルＰｃに用いた通信接続が確立する（ステップＳｂ５）。
【００５７】
この車載オーディオシステム１は、再生アプリ４２の切替、及び音声再生操作（再生開始や停止等の操作）を、カーオーディオ装置６、及びスマートフォン８のどちらのユーザ操作でも受付け可能にする連携機能が備えられている。この連携機能は、スマートフォン８に連携用のアプリケーションプログラム（以下、連携アプリ）を実行させることで実現されている。
具体的には、連携アプリは、カーオーディオ装置６に所定の通信プロトコルを用いた通信で通信接続し、このスマートフォン８にインストールされている再生アプリ４２に係る情報をカーオーディオ装置６に送信するようにスマートフォン８を機能させる。これによりカーオーディオ装置６には再生アプリ４２に係る情報が予め記録され、ユーザがカーオーディオ装置６の操作部５４を操作して、予め記録されている再生アプリ４２の中から所望のもの指定して実行させたり切替えたりする操作が可能になっている。
スマートフォン８が送信する再生アプリ４２の情報には、当該再生アプリ４２とリモコン通信プロトコルＰｃと音声通信プロトコルＰｖとの対応関係（図５）が含まれている。この情報に基づいて、カーオーディオ装置６は、スマートフォン４が使用する可能性のある音声通信プロトコルＰｖ、及び各再生アプリ４２のリモートコントロールに使用するリモコン通信プロトコルＰｃが判別可能になっている。
【００５８】
そしてステップＳｂ２において、ユーザがカーオーディオ装置６に対し再生アプリ４２の切替操作を行った場合には、カーオーディオ装置６からスマートフォン８に対し、再生アプリ４２の切り替えの要求が所定の通信プロトコルを用いた通信により送信される。この要求がスマートフォン８に受信され、スマートフォン８が再生アプリ４２を切り替える。その後、カーオーディオ装置６は、切替先の再生アプリ４２がリモートコントロールに使用するリモコン通信プロトコルＰｃを用いた通信の接続要求（ステップＳｂ４ではＡＶＲＣＰ接続要求）をスマートフォン８に送信し、これに対してスマートフォン８が接続応答（ＯＫ）（ステップＳｂ４では、ＡＶＲＣＰ接続応答（ＯＫ））を送信することで、このリモコン通信プロトコルＰｃを用いた通信接続が確立することになる。
【００５９】
また、ステップＳｂ２において、ユーザがスマートフォン８に対し再生アプリ４２の切替操作を行った場合には、当該操作に基づいて、スマートフォン８が再生アプリ４２を切り替える。その後、スマートフォン８は、切替先の再生アプリ４２がリモートコントロールに使用するリモコン通信プロトコルＰｃを用いた通信の接続要求（ステップＳｂ４ではＡＶＲＣＰ接続要求）をカーオーディオ装置６に送信し、これに対してカーオーディオ装置６が接続応答（ＯＫ）（ステップＳｂ４では、ＡＶＲＣＰ接続応答（ＯＫ））を送信することで、このリモコン通信プロトコルＰｃを用いた通信接続が確立することになる。
【００６０】
次いで、例えばユーザがカーオーディオ装置６、或いはスマートフォン８を操作して、音声再生開始を指示すると、カーオーディオ装置６とＨＤＭＩ接続スマートフォン８Ａの間で、ＡＶＲＣＰをリモコン通信プロトコルＰｃに用いた通信によりリモコン命令信号Ｂ（図示例では再生開始要求、及び再生開始応答）が送受される（ステップＳｂ６）。例えば、ユーザがカーオーディオ装置６を操作して音声開始を指示した場合、カーオーディオ装置６からＨＤＭＩ接続スマートフォン８Ａに再生開始要求が送信され、この要求の応答として、ＨＤＭＩ接続スマートフォン８Ａから再生開始応答（ＯＫ）がカーオーディオ装置６に送信される。
【００６１】
その後、ＨＤＭＩ接続スマートフォン８Ａは、再生対象の音声信号Ａ３をカーオーディオ装置６に送信する処理を実行する。
この処理において、再生アプリ４２Ａには音声通信プロトコルＰｖが指定されていないことから、ＨＤＭＩ接続スマートフォン８Ａは、リモコン通信プロトコルＰｃで使用されているＢｌｕｅｔｏｏｔｈのプロトコルであるＡ２ＤＰを音声通信プロトコルＰｖに用いて音声通信要求をカーオーディオ装置６に送信する（ステップＳｂ７）。
カーオーディオ装置６にあっては、音声通信要求を受けると、上述の入力制御処理（図８）が行われる。同図に示す場合では、Ａ２ＤＰよりも優先順位が高いＨＤＭＩがカーオーディオ装置６の通信可能プロトコル記憶部６３に記録されていることから、カーオーディオ装置６は、音声通信の通信接続を拒否する旨の応答（ＮＧ）をＨＤＭＩ接続スマートフォン８Ａに返信する（ステップＳｂ８）。また、ＨＤＭＩを音声通信プロトコルＰｖに用いた通信接続により、カーオーディオ装置６が音声信号Ａ３を受信している場合にも、受信動作の中断を避けるため、カーオーディオ装置６は、音声通信の通信接続を拒否する旨の応答（ＮＧ）をＨＤＭＩ接続スマートフォン８Ａに返信することになる。
【００６２】
ＨＤＭＩ接続スマートフォン８Ａは、音声通信要求が拒否されたことから、他の音声通信プロトコルＰｖを用いた通信により、再度、音声通信要求をカーオーディオ装置６に送信する（ステップＳｂ９）。同図に示す場合では、ＨＤＭＩ接続スマートフォン８Ａが他に使用できる音声通信プロトコルＰｖはＨＤＭＩだけであるから、ＨＤＭＩを音声通信プロトコルＰｖに用いた音声通信要求がカーオーディオ装置６に送信される。
【００６３】
カーオーディオ装置６は、この音声通信要求を受けると、再度、上述の入力制御処理（図８）が行われる。そして、最も優先順位が高いＨＤＭＩを音声通信プロトコルＰｖに用いた通信により音声通信要求が成されていることから、カーオーディオ装置６は、音声通信の通信接続を受け入れる旨の応答（ＯＫ）を返信する（ステップＳｂ１０）。
ＨＤＭＩ接続スマートフォン８Ａは、この返信を受けることで、カーオーディオ装置６とＨＤＭＩ接続スマートフォン８Ａの間で、ＨＤＭＩを音声通信プロトコルＰｖに用いた通信接続が確立し、ＨＤＭＩ接続スマートフォン８ＡがＨＤＭＩを音声通信プロトコルＰｖに用いた通信により音声信号Ａ３をカーオーディオ装置６に送信する（ステップＳｂ１１）。
【００６４】
これにより、カーオーディオ装置６とＨＤＭＩ接続スマートフォン８Ａとの間で利用可能な音声通信プロトコルＰｖのうち、最も優先順位が高い、すなわち再生音質が良好になる音声通信プロトコルＰｖを用いて、ＨＤＭＩ接続スマートフォン８Ａからカーオーディオ装置６に音声信号Ａ３が送信されることとなる。
【００６５】
なお、図１０の動作において、再生アプリ４２Ｅから再生アプリ４２Ａへの切替の際に（ステップＳｂ３）、ユーザがカーオーディオ装置６とＨＤＭＩ接続スマートフォン８Ａを繋ぐＨＤＭＩケーブルを外した場合には、ＨＤＭＩ接続（物理リンク）が切断され、この切断に伴い、カーオーディオ装置６の通信可能プロトコル記憶部６３からＨＤＭＩの記録が消去される。
したがって、この場合には、カーオーディオ装置６は、Ａ２ＤＰを音声通信プロトコルＰｖに用いた音声通信要求を受けたときには（ステップＳｂ７）、音声通信の通信接続を受け入れる旨の応答（ＯＫ）を返信し、ＨＤＭＩ接続スマートフォン８Ａとの間でＡ２ＤＰを音声通信プロトコルＰｖに用いた通信の通信接続を確立し、この通信により音声信号Ａ３を受信することになる。
【００６６】
図１１は、通信可能音声プロトコルと、音声通信要求プロトコルと、入力制御結果との対応を示す図である。
この図において、通信可能音声プロトコルは、カーオーディオ装置６の通信可能プロトコル記憶部６３に記録されている音声通信プロトコルＰｖ、すなわち、カーオーディオ装置６とＨＤＭＩ接続スマートフォン８Ａとの間で通信接続が確立されている通信において利用可能な音声通信プロトコルＰｖのうち、最も優先順位が高い通信プロトコルを示している。
音声通信要求プロトコルは、スマートフォン８が音声通信要求の通信に用いた音声通信プロトコルＰｖを示している。
入力制御結果は、通信可能音声プロトコルに示す音声通信プロトコルＰｖが通信可能プロトコル記憶部６３に記録されている状態において、音声通信要求プロトコルに示す音声通信プロトコルＰｖを用いた通信の音声通信要求がカーオーディオ装置６に送信されたときに、当該カーオーディオ装置６が行う入力制御処理の結果を示している。
【００６７】
同図に示すように、通信可能プロトコル記憶部６３に記録されている音声通信プロトコルＰｖよりも優先順位が高い音声通信プロトコルＰｖを用いた通信の音声通信要求がカーオーディオ装置６に送信されたときには、当該カーオーディオ装置６は、この音声通信要求を受け入れて、通信接続を確立する。この通信接続の確立のときに、先に通信接続が確立している通信をカーオーディオ装置６が切断することで、優先順位が低い音声通信プロトコルＰｖを用いた通信により音声信号Ａ３を受信してしまうことを確実に防止することができる。
一方、優先順位が低い場合は、カーオーディオ装置６は、この音声通信要求を拒否し、これにより、スマートフォン８が使用する音声通信プロトコルＰｖの選択肢を限定し、カーオーディオ装置６及びスマートフォン８の間で使用できる音声通信プロトコルＰｖの中で最も優先順位が高い音声通信プロトコルＰｖが音声通信要求に使われるように、間接的にコントロールすることになる。
【００６８】
ここで、この車載オーディオシステム１では、上記のように、カーオーディオ装置６からスマートフォン８の再生アプリ４２を制御して音声を再生できる。そこで、この車載オーディオシステム１では、再生アプリ４２の実行中にカーオーディオ装置６がシャットダウンしたときに、次回起動時に、カーオーディオ装置６が当該再生アプリ４２の音声再生を続行する構成となっている。
具体的には、カーオーディオ装置６は、車両２のＡＣＣ電源がオフされる等してシャットダウンするとき、そのときに実行中の再生アプリ４２の情報（再生中のオーディオデータＤ１（又は音声信号Ａ３）を特定する情報）と、音声信号Ａ３の送信に用いられている音声通信プロトコルＰｖを内蔵の不揮発性メモリに記憶する。
そして、カーオーディオ装置６は、起動した時に、不揮発性メモリに再生アプリ４２の情報が格納されている場合は、当該再生アプリ４２による音声再生を続行可能にするために、リモコン通信プロトコルＰｃを用いた通信の通信接続を確立し、再生中であったオーディオデータＤ１（音声信号Ａ３）の再生開始要求をスマートフォン８に送信する（図１０、ステップＳｂ６）。また、シャットダウン前に用いられていた音声通信プロトコルＰｖで音声信号Ａ３の受信が成されるようにするために、不揮発性メモリに記憶されていた音声通信プロトコルＰｖを通信可能プロトコル記憶部６３に記憶する。
【００６９】
スマートフォン８は、再生開始要求を受信すると、再生アプリ４２に既定、或いは音声通信プロトコル決定部４７（図２）が決定した音声通信プロトコルＰｖを用いた音声通信要求をカーオーディオ装置６に送信する。（図１０、ステップＳｂ７）。
そして、カーオーディオ装置６が上記入力制御処理を行うことで、シャットダウン前に用いられていた音声通信プロトコルＰｖ、或いは、それよりも優先順位が高い音声通信プロトコルＰｖを用いた通信の音声通信要求がカーオーディオ装置６に受け入れられ、通信接続が確立され、当該音声通信プロトコルＰｖを用いた通信により音声信号Ａ３がスマートフォン８から送信されるようになる。
【００７０】
以上説明した実施形態によれば、次の効果を奏する。
【００７１】
すなわち、本実施形態によれば、カーオーディオ装置６は、音声信号Ａ３の送信のための通信要求をスマートフォン８から受けた場合、要求されている通信の音声通信プロトコルＰｖの優先順位に応じて、この通信要求の受け入れを決定する構成とした。
この構成により、優先順位に応じた音声通信プロトコルＰｖの通信の要求のみが受け入れられるので、優先順位の高い音声通信プロトコルＰｖを用いた通信で、音声信号Ａ３を受信することができる。この音声信号Ａ３が再生されることで、優先順位が高い良好な最良の音声再生が実現される。
【００７２】
特に、オーディオの音声信号Ａ３の再生品質、或いはユーザが最良とする順番で優先順位が付されることで、良好な再生品質を維持し、或いは、ユーザにとって良好な再生が実現される。
【００７３】
また本実施形態によれば、カーオーディオ装置６は、スマートフォン８との間での通信に使用できる音声通信プロトコルＰｖの中で、音声通信要求されている通信の音声通信プロトコルＰｖの優先順位が最も高い場合に限り、この音声通信要求を受け入れる構成とした。
これにより、最良の再生品質、或いは、ユーザにとって最良な再生が常に実現される。
【００７４】
また本実施形態によれば、カーオーディオ装置６は、スマートフォン８との間で確立状態にある通信の音声通信プロトコルＰｖ、及び音声通信要求されている通信の音声通信プロトコルＰｖを、スマートフォン８との間で音声信号Ａ３の伝送のための通信に使用できる音声通信プロトコルＰｖとして優先順位を判断する構成とした。
これにより、有線ケーブルが外されたり、無線通信がオフされる等して、既に通信接続が切断されてしまっている通信を除外し、確実に通信が可能な音声通信プロトコルＰｖの範囲で有線順位を判断することができる。
【００７５】
また本実施形態によれば、カーオーディオ装置６は、通信要求を受け入れる場合、通信接続が確立状態の通信のうち、要求された通信の音声通信プロトコルＰｖ（例えばＨＤＭＩ）よりも優先順位が低い音声通信プロトコルＰｖ（例えばＡ２ＤＰ）を用いた通信の接続を切断する構成とした。
これにより、優先順位が低い音声通信プロトコルＰｖを用いた通信により音声信号Ａ３をカーオーディオ装置６が受信してしまうことを確実に防止することができる。
また、無駄な通信が切断されることで、消費電力が抑えられる。特に、有線通信よりも消費電力が大きな無線通信が全て切断される場合には、消費電力が大きく抑えられる。
【００７６】
また本実施形態によれば、カーオーディオ装置６は、スマートフォン８から通信要求を受けた場合、当該スマートフォン８との間で、音声通信プロトコルＰｖに従った他の音声通信の通信接続が既に確立状態にあるときには、当該通信接続を維持するために、通信要求を受け入れずに拒否する構成とした。
このように既に確立している通信接続が維持されることで、音声通信プロトコルＰｖの切替に伴い通信接続が切断され、音声信号Ａ３の送受信のための通信が一時的に中断されるといった事態が回避される。さらに、この通信の中断に伴う一時的な音切れの発生も防止できる。
【００７７】
上述した実施形態は、あくまでも本発明の一態様を例示したものであって、本発明の趣旨を逸脱しない範囲で任意に変形、及び応用が可能である。
【００７８】
上述した実施形態において、カーオーディオ装置６は、音声信号Ａ３の送信を要求する音声通信要求を受けるごとに、音声通信プロトコルＰｖの優先順位を判定する構成としたが、これに限らず、所定の音声信号Ａ３については、優先順位の判定をせずに、音声通信要求を受け入れる構成としても良い。
【００７９】
具体的には、このカーオーディオ装置６とスマートフォン８が連携し、Ｂｌｕｅｔｏｏｔｈで互いに通信してハンズフリー通話機能を実現している場合、通話の音声信号Ａ３を送信するための音声通信要求に対しては、カーオーディオ装置６は、優先順位を判定することなく、音声通信要求を受け入れる構成にしても良い。
これにより、通話音声の再生出力が阻害されることなく、スムーズ、かつ速やかに行われるようになる。
【００８０】
なお、カーオーディオ装置６とスマートフォン８がハンズフリー通話において使用する通信プロトコルは、オーディオの音声信号Ａ３の伝送のためのプロトコルとは別に規定されている。したがって、カーオーディオ装置６は、音声通信要求されている通信の通信プロトコルがハンズフリー通話のものか否かを判断することで、その音声通信要求が通話の音声信号Ａ３を送信するための音声通信要求か否かを判断できる。
【００８１】
さらに、カーオーディオ装置６に複数台のスマートフォン８がＢｌｕｅｔｏｏｔｈによって通信接続されている状態において、いずれか１台がハンズフリー通話を開始した場合、仮に最も優先順位が高い音声通信プロトコルＰｖ（例えばＨＤＭＩ）を用いた通信によりハンズフリー通話の音声信号Ａ３がカーオーディオ装置６に送信されることがある。
この場合、カーオーディオ装置６は、それよりも優先順位が低い音声通信プロトコルＰｖ（例えばＡ２ＤＰ）を用いた通信接続が他のスマートフォン８との間で確立状態であっても、このスマートフォン８からの音声信号Ａ３を中断してしまうのを防止するために、この確立状態中の通信を切断しない。
【００８２】
また上述した実施形態において、図２に示したスマートフォン８、及び図５に示したカーオーディオ装置６の構成は、それぞれ本願発明の理解を容易にするための機能構成を主な処理内容に応じて分類して示したものであり、スマートフォン８、及びカーオーディオ装置６の構成は、処理内容に応じて、さらに多くの構成要素に分類することもできる。
また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
【００８３】
また上述した実施形態において、図８のフローチャートの処理単位、及び図１０のシーケンスの処理単位は、本願発明の理解を容易にするために、主な処理内容に応じて分割したものである。処理単位の分割の仕方や名称によって、本願発明が制限されることはない。すなわち、各処理単位は、処理内容に応じて、さらに多くの処理単位に分割することもできる。また、１つの処理単位がさらに多くの処理を含むように分割することもできる。
【００８４】
また上述した実施形態において、スマートフォン８は、例えばラジオ電波やテレビ放送波をオーディオソースとして備えることもできる。またスマートフォン８は、配信サーバ１２からオーディオデータＤ１を予めダウンロードして内蔵の記録媒体（例えばオーディオデータ蓄積部２０）に保存し、このオーディオデータＤ１に基づいてカーオーディオ装置６が音声を再生しても良い。
また上述した実施形態において、カーオーディオ装置６には、複数台のスマートフォン８を同時に通信接続することもできる。さらに、カーオーディオ装置６は、これら複数台のスマートフォン８ごとに個別に入力制御処理（図８）を実施し、それぞれのスマートフォン８ごとに最良の音声再生を維持するようにしても良い。
【００８５】
また上述した実施形態では、オーディオの音声信号Ａ３を再生するオーディオ再生装置としてカーオーディオ装置６を例示したが、これに限らない。すなわち、オーディオ再生装置は、オーディオの音声信号を伝送可能な複数の通信プロトコルのそれぞれ通信可能であり、これらの通信プロトコルのいずれかを用いた通信を通じて音声信号Ａ３が外部機器から入力され、当該音声信号Ａ３をオーディオ再生する装置であれば良い。
例えばオーディオ再生装置は、ナビゲーション装置などの他の車載機であっても良い。またオーディオ再生装置は、車載機に限らず、例えばポータブルオーディオプレイヤー等の携帯型の装置、或いはオーディオ再生機、テレビ装置、録画再生装置など据置型の装置であっても良い。
【００８６】
また上述した実施形態では、音声信号Ａ３をオーディオ再生装置に入力する外部機器として、スマートフォン８を例示したが、これに限らない。すなわち、外部機器は、音声信号を伝送可能な通信プロトコルを用いた通信を通じて、オーディオソースに基づく音声信号Ａ３をオーディオ再生装置に入力する機器であれば良い。
例えば、外部機器は、携帯電話機やタブレット型ＰＣ、ノート型ＰＣ等の携帯型情報端末、或いは、据置型ＰＣ、テレビ装置、録画再生装置などの据置型の装置であっても良い。
【００８７】
また上述した実施形態では、外部機器から音声信号Ａ３をオーディオ再生装置に入力してオーディオ再生するオーディオ再生システムとして、車載オーディオシステム１を例示したが、これに限らない。すなわち、オーディオ再生システムは、上述したオーディオ再生装置、及び外部機器を備えたシステムであれば良い。
【００８８】
また上述した実施形態では、車載オーディオシステム１は、オーディオ音声を再生する構成としたが、映像の再生も併せて行う、いわゆるオーディオビジュアル再生システムであっても良い。
また上述した実施形態において、「音声」を「映像」と読み替えて、次のような映像再生システムを構成しても良い。
すなわち、映像信号を伝送する複数の通信プロトコルの各々に従って通信する通信部と、前記通信により受信した映像信号を再生する映像再生部と、を備えた映像再生装置と、いずれかの前記通信プロトコルに従った通信を通じて映像信号を前記映像再生装置に送信する外部機器と、を備えた映像再生システムにおいて、前記映像再生装置は、前記通信プロトコルの優先順位を予め記憶する優先順位記憶部と、前記映像信号の送信のための通信要求を前記外部機器から受けた場合に、要求されている通信の通信プロトコルの前記優先順位に応じて、前記通信要求を受け入れる制御部と、を備え、前記外部機器は、前記通信要求が受け入れられなかった場合に、前記通信プロトコルを変えて前記通信要求を前記映像再生装置に送信することを特徴とする映像再生システムを構成しても良い。
【００８９】
また上述した実施形態では、外部機器からオーディオ再生装置に音声信号Ａ３を送信する通信に用いられる通信規格としてＢｌｕｅｔｏｏｔｈ、ＨＤＭＩ、及びＵＳＢを例示したが、これに限らず、例えば無線ＬＡＮの規格の一つであるＷｉ−Ｆｉ（登録商標）といった、他の通信規格を用いても良い。
また、音声信号Ａ３の送信に用いられる音声通信プロトコルＰｖは、外部機器、及びオーディオ再生装置の間の通信に用いられる通信規格によって規定されているものが適宜に用いられる。
【００９０】
また上述した実施形態では、オーディオ再生装置と外部機器とが無線通信、及び有線通信の両方で通信接続される構成を例示したが、いずれか一方のみであっても良い。
すなわち、本発明は、無線通信、及び有線通信の区別にかかわらず、音声信号の送信に用いられる複数の通信プロトコルに準拠して通信するオーディオ再生装置、当該オーディオ再生及び外部機器を備えたオーディオ再生システムに本発明を適用できる。
【符号の説明】
【００９１】
１  車載オーディオシステム（オーディオ再生システム）
６  カーオーディオ装置（オーディオ再生装置）
８  スマートフォン（外部機器）
２４  周辺機器接続部
２７  音声信号送信制御部
３２  無線通信部
３４  有線通信部
４２、４２Ａ〜４２Ｅ  再生アプリ
４６  リモコン命令送受機能
４７  音声通信プロトコル決定部
５１  機器間通信部（通信部）
５２  再生処理部
５３  音声信号入力制御部（制御部）
５５  無線通信部
５６  有線通信部
６２  優先順位記憶部
６３  通信可能プロトコル記憶部
６４  優先順位データ
Ａ１  音声再生信号
Ａ３  音声信号
Ｂ  リモコン命令信号
Ｄ１  オーディオデータ
Ｐｃ  リモコン通信プロトコル
Ｐｖ  音声通信プロトコル
【図１】
0006512791.tif 000002
【図２】
0006512791.tif 000003
【図３】
0006512791.tif 000004
【図４】
0006512791.tif 000005
【図５】
0006512791.tif 000006
【図６】
0006512791.tif 000007
【図７】
0006512791.tif 000008
【図８】
0006512791.tif 000009
【図９】
0006512791.tif 000010
【図１０】
0006512791.tif 000011
【図１１】
0006512791.tif 000012